(57)【要約】【課題】比較的簡単でかつ安価な構成をもって、輝度ムラを抑えると共に、光の利用効率を高めて高い輝度レベルを得ることができる面光源装置およびそれを用いた表示装置を提供すること。【解決手段】本発明は、面光源装置２０内に設置される反射板３の断面形状を略放物面形状とし、さらに表面を指向性のある拡散面にするという簡単な構成により、輝度ムラを抑え、かつ、高い輝度レベルを安価に得ることができる。【選択図】図１
2007305330.tif 000002
【特許請求の範囲】
【請求項１】
少なくとも光源と、前記光源から発せられる光線を拡散する拡散板と、前記光源から出射される光線を上記拡散板側へ反射する反射板を有する面光源装置であり、前記反射板の断面が略放物面形状であり、前記反射板の表面が指向性をもたせた拡散面であることを特徴とする面光源装置。
【請求項２】
前記反射板の表面が、少なくともランプの長手方向に対して直交する方向に光を散乱させることを特徴とする請求項１記載の面光源装置。
【請求項３】
前記反射板の表面に施す微細な凹凸加工により、ランプの長手方向は正反射成分を主とし、ランプの長手方向に対して直交する方向は光を散乱させることを特徴とする請求項１または２記載の面光源装置。
【請求項４】
前記反射板の表面に施す微細な凹凸加工は、ランプの長手方向に対して凹凸の長辺を配置することを特徴とする請求項１から３までのいずれか一つに記載の面光源装置。
【請求項５】
前記反射板の表面への筋状の凹凸加工により、ランプの長手方向は正反射成分を主とし、ランプの長手方向に対して直交する方向は光を散乱させることを特徴とする請求項１または２記載の面光源装置。
【請求項６】
前記反射板の表面に施す筋状の凹凸加工は、ランプの長手方向に対して筋加工を配置することを特徴とする請求項１から３までのいずれか一つに記載の面光源装置。
【請求項７】
請求項１から６までのいずれか一つに記載の面光源装置と、前記面光源装置からの光が入射する液晶パネルとを有する表示装置。
【発明の詳細な説明】
【技術分野】
【０００１】
本発明は、液晶表示装置などの表示装置に関し、好適な面光源装置及びこれを用いた表示装置に関する。
【背景技術】
【０００２】
液晶表示装置は、光の透過率を制御する液晶パネルと、その背面に、液晶パネルを均一に照明するバックライトと呼ばれる面光源装置とを組み合わせたディスプレイである。このバックライトは、導光板と呼ばれる拡散板の端部に冷陰極蛍光ランプのような棒状光源を沿わせて点灯し、棒状光源からの光を拡散板内に照射して、均一な発光面を得るサイドライト形バックライトと、液晶パネルの背面に拡散板をおき、その背後に棒状光源を並べ、拡散板を照明する直下型バックライトに分類される。
【０００３】
近年の表示装置の大画面化、高輝度化に対して、サイドライト形バックライトでは、画面中央まで均一な輝度を得るには、棒状光源自身の輝度を上げる必要からランプの効率を損ねたり、寿命など限界があるため、光源自身の輝度はランプの効率の高い状態で、その数を増やすことにより大画面、高輝度化に対応できる直下型バックライトが広く用いられるようになってきている。
【０００４】
従来の直下型バックライトでは、拡散板の背面に棒状光源を並べただけでは光源の真上の拡散板の輝度が高く、光源と光源の間の輝度が低下して、液晶パネルの背面の拡散板に輝度ムラが生じる。したがって、拡散板と光源との間に適度の距離を設け、かつ光源のさらに背面に拡散反射板を設け、拡散板と拡散反射板とでできる空間によって、拡散板上の輝度ムラを緩和する方法が採られている。
【０００５】
また、バックライトからの光を、効率よく液晶パネルを透過させるために、シートに球面レンズとなるビーズを敷き詰めた拡散シートを配置し、液晶パネルの開口角より大きい角度の光をバックライトに戻して液晶パネルでの光の損失を抑え、さらに水平方向に三角柱プリズムを敷き詰めたレンズシートにより、左右方向の配光はそのままでディスプレイとして不要な上下方向の配光を抑え、さらにＤＢＥＦ（Ｄｕａｌ  Ｂｒｉｇｈｔｎｅｓｓ  Ｅｎｈａｎｃｅｍｅｎｔ  Ｆｉｌｍ）シートにより液晶パネルを透過する光のＰ偏光成分のみを透過させ、Ｓ偏光成分をバックライトに戻して液晶パネルでの光の損失を抑えている。これらの光学シートで反射されバックライトに戻された光は、再度、液晶パネルの照明に使用されるので光の利用効率は向上する。しかしながら、これらの光学シートは高額で、バックライトのコストを押し上げてしまう課題があった。
【０００６】
この課題に対して、水平に配置した棒状光源それぞれに、断面が放物面形状のシリンドリカルな反射板を設けることが提案されている（特許文献１参照）。
【０００７】
光源から出射し、断面が放物面形状となっている反射板により反射される光は、光源のほぼ直上に平行に出射され、拡散板の表面に対してほぼ垂直に入射する。面光源装置における正面輝度を向上させるためには、拡散板に入射する光線は可能な限りその表面に垂直な角度とすることが望ましい。したがって、反射板の断面を放物面形状にすると、光線を拡散板の表面にほぼ垂直に入射させることができることから、正面輝度を向上させることができる。
【０００８】
断面が放物面形状の反射板は、左右方向の配光はそのままでディスプレイとして不要な上下方向の配光を抑えることから、レンズシートと同じ作用をするため、レンズシートが不要となり、その分光学シートの透過損失が抑えられ、かつ、光学シートのコストを抑えることが出来る。
【０００９】
しかしながら、反射板の断面を放物面形状にした場合、光源からの光の利用効率は上がるものの、やはり光源の真上付近の輝度がピークとなってしまう。したがって、反射板を放物面形状にするだけでは、輝度の向上を図ることはできるものの、輝度ムラが生じてしまう。
【００１０】
この輝度ムラの抑制手段として、放物面形状の反射体の一部をフラット面にする開示がある（特許文献１参照）。図２は、特許文献１に記載された面状照明装置を示すものである。
【００１１】
反射板２０３の光源２０１の下部に対応する位置に、拡散板２０２と平行なフラット面２０４を設ける構成とし、光源２０１の下部から出射され、反射板２０３により反射されて拡散板２０２に入射される光線と、光源２０１の上部から出射されて拡散板２０２に直接入射される光線とを重複させることなく、かつ光源２０１の下部から出射される光線を光源２０１の両側部、すなわち光源２０１と光源２０１との間に向かわせることから、拡散板２０２に入射させる光の輝度ムラを抑えることができるという開示である。
【特許文献１】特開２００５−１５００３７号公報
【発明の開示】
【発明が解決しようとする課題】
【００１２】
しかしながら、図２の構成では、輝度ムラは緩和されるものの、フラット面２０４の反射成分は、放物面部分の反射成分と異なり、平行成分はなくなるため、輝度効率は低下する。また、鏡面の反射板を使用しているために、反射板２０３と反射板２０３の継ぎ目である交点２０５の上部に、放物線鏡面によって拡散面に投影される像に不連続部分が生じ、輝度の低い部分ができることから、輝度ムラが抑制できないという課題を有していた。
【００１３】
本発明は、上記課題を解決するためになされ、その目的とするところは、比較的簡単で、かつ、安価な構成をもって輝度ムラを抑えるとともに、光源の利用効率を高めて高輝度化を図ることができる面光源装置及びこれを用いた表示装置を提供することにある。
【課題を解決するための手段】
【００１４】
上記従来の課題を解決するために、本発明に係る面光源装置及びこれを用いた表示装置は、少なくとも光源と、前記光源から発せられる光線を拡散する拡散板と、前記光源から出射される光線を上記拡散板側へ反射する反射板を有する面光源装置であり、前記反射板の断面が略放物面形状であり、前記反射板の表面が指向性をもたせた拡散面であることを特徴とする。
【発明の効果】
【００１５】
以上のように、本発明は反射板の断面形状を略放物面形状として構成することから、正面輝度を向上させることができる。さらに、反射板の表面を指向性のある拡散面にするという簡単な構成で、光源からの光の配光を制御し、輝度ムラを抑制するともに、高い正面輝度を得ることができる。
【００１６】
さらに、本発明による表示装置によれば、その面光源装置の正面輝度を向上させ、それにより、より明るい視認性に優れた表示装置を提供することができる。
【００１７】
また上述の本発明による表示装置において、表示手段を液晶表示手段とすることにより、正面輝度を向上させ、より明るい視認性に優れた表示装置を得ることが可能となる。
【発明を実施するための最良の形態】
【００１８】
以下、本発明の実施の形態について、図面を参照しながら説明する。なお、本発明は以下の実施形態に限定されない。
【００１９】
（実施の形態１）
図１は、本発明の第１の実施形態における面光源装置を示すものである。
【００２０】
図１にその一例の模式的な断面構成を示すように、少なくとも光源１と、この光源から発せられる光線を拡散する拡散板２と、光源１から出射される光線を拡散板２側へ反射する反射板３とを有する面光源装置２０であって、反射板３の断面形状は略放物面形状となっており、微細な凹凸加工により指向性のある拡散面をもつ反射体を材料として作製されたものである。
【００２１】
図１では、各光源１の長手方向と直交する方向の断面構成を示しており、隣り合う複数の光源１に対応して複数の略放物面形状で反射板３を構成しており、各放物線がそれぞれ交点４において交わる形状とする。反射板３は、各光源１と同様の長手方向対して延びている形状であり、すなわち各放物線及び交点は、図１の紙面に対して垂直な方向に延在する。
【００２２】
上述したように、正面輝度を向上させるためには、光線を可能な限り垂直に近い入射角で拡散板２に入射させることが望ましい。
【００２３】
本発明によれば、反射板３の主な形状として、断面形状に放物線を採用するものであり、光源１を放物線の焦点位置に配置することにより、この光源１から出射されて反射板３により反射された光線を、ほぼ平行光として、拡散板２の表面に対し、ほぼ垂直に入射させることができる。したがって、正面輝度を向上させることができる。
【００２４】
一方、反射板３の断面を放物線形状のみとする場合は、光源１の真上付近の輝度がピークとなる。
【００２５】
したがって、上述したように、反射板３を微細な凹凸加工により指向性のある拡散面をもつ反射体とすることによって、光源１の長手方向においては光を鏡面反射させ、長手方向に直交する方向においては光を散乱させることにより、輝度ムラを抑制しつつ、正面輝度を向上させることができる。
【００２６】
（実施例）
本発明を実施するための最良の形態について説明を行うために、拡散の程度が異なる２種類の反射体を用いて行った測定結果について図３、４、５、６、７を用いて説明する。
【００２７】
上述したように、バックライトの輝度ムラは、光源の真上が最も輝度が高くなり、光源と光源との間の部分は輝度が低くなるために生じている。したがって、表示面を前方から見た場合、表示面の上下方向、つまり光源の長手方向に対して直交する方向において明暗が繰り返される輝度ムラとなっている。
【００２８】
一般に、鏡面の反射体に光が入射した場合、入射光の大部分は正反射する。一方、拡散面の反射体に光が入射した場合、反射体からの反射光は散乱する。上述したように、直下型のバックライトで、光源と光源の間の輝度の低下を軽減するために、反射板に鏡面反射ではなく拡散反射板が使われているのはそのためである。
【００２９】
また、鏡面の反射体では、反射体による光の吸収が少ないため輝度効率はよいが、拡散面の反射体では反射体の光の吸収が大きいため、輝度効率は鏡面に比べて低くなる。したがって、直下型のバックライトでは、輝度ムラの抑制のために拡散反射板を用いているが、鏡面の反射板を用いた場合に比べて輝度効率は低下している。
【００３０】
そこで、この輝度ムラの抑制と輝度の向上の両立を実現する方法として、輝度の明暗が生じている光源の長手方向に直交する方向に対してのみ、反射板からの反射光を散乱させて輝度ムラを抑制し、光源の長手方向は反射板からの反射光を正反射させて輝度効率を高くすることにより、輝度ムラの抑制と高い輝度効率の両方が得られることになる。
【００３１】
そこで、鏡面の反射体と、一方向に対しては鏡面反射し直交する方向に対しては散乱する指向性のある拡散面をもつ反射体の２種類の反射体を用意し、それぞれの反射体の配光を測定した後、光源装置として組み立てて輝度ムラの測定を行った。
【００３２】
使用した反射体は、ａｌａｎｏｄ社のＡＧ４２００とＡＧ８５１０の２種類であった。図３にＡＧ４２００とＡＧ８５１０の顕微鏡写真を示す。ＡＧ４２００の表面はきれいな鏡面になっているが、ＡＧ８５１０は、表面に直径３６０ｎｍ程度の長方形の凹形のパターンが、プレスなどにより形成されている。この凹形のパターンは深さ方向にゆるやかに曲げを持つ鏡面にちかい側面をもち、長方形の長辺に垂直な入射光は扇上に反射し、短辺に垂直な入射光も、長辺への入射光による反射よりは弱いものの、扇状の反射をおこなう。すなわち、鏡面反射に加えて各辺に垂直な２方向に入射光を散乱させる効果がある。このとき、一般の拡散のように表面の微細な凹凸による反射ではないため、吸収は比較的少ないという利点がある。
【００３３】
図４に、図３の２種類の反射体に光を入射した場合の反射パターンの写真を示す。ＡＧ４２００は反射パターンが点状となっているのに対して、ＡＧ８５１０は光が縦方向にのみ広く散乱していることがわかる。
【００３４】
そこで次に、実際にこの２種類の反射体に光を入射した場合の反射配光特性を測定した。
【００３５】
寸法８ｃｍ×８ｃｍに作られた、鏡面性の高いＡＧ４２００からなる反射体及び指向性のある拡散面であるＡＧ８５１０からなる反射体に対して、３０度の角度から６３３ｎｍのレーザー光を入射し、反射体の０度から１８０度方向に対して１度ピッチで反射光を測定し、反射配光特性を求めた。また、反射体を９０度、さらに４５度に回転させて設置し、同様の測定を行った。
【００３６】
図５は、ＡＧ４２００とＡＧ８５１０の反射配光測定の結果を示す。図５の縦軸は相対反射率、横軸は反射体の角度を示す。ＡＧ８５１０の０度の結果は、反射体をある位置に設定して測定した結果であり、９０度と４５度の結果は、０度位置での反射体を９０度、又は４５度に回転させた場合の測定結果を示す。
【００３７】
図５より、ＡＧ８５１０は、０度方向に反射光が広く散乱している。この散乱は９０度、４５度には現れていないことから、指向性の強い散乱であることがわかる。ＡＧ４２００と比較しても、その差は明確である。したがって、ＡＧ４２００は鏡面性が高い反射体、ＡＧ８５１０は指向性のある拡散面である反射体ということがわかった。
【００３８】
次に、鏡面性の高いＡＧ４２００及び指向性のある拡散面であるＡＧ８５１０を用いて反射板を作製し、面光源装置として組み立てて、輝度ムラを測定した。
【００３９】
図５の反射配光測定で使用した、ＡＧ４２００とＡＧ８５１０とを用いて、それぞれｆ＝４．３１の略放物面形状の反射板を作製した。径３ｍｍの光源を２４本使用し、それぞれ反射板の焦点位置に光源を配置して、３２インチサイズ相当の面光源装置を構成した。そして、作製した２種類の面光源装置の正面輝度を測定した。
【００４０】
図６は、鏡面性の高いＡＧ４２００を用いて構成した面光源装置の輝度ムラ、図７は、指向性のある拡散面であるＡＧ８５１０を用いて構成した面光源装置の輝度ムラを示す。
【００４１】
図６，７の縦軸は輝度レベル、横軸は面光源装置に配置された光源の、長手方向に対して直交する方向での空間座標位置を示す。輝度レベルは、光源の出力により変化する値であるため、相対レベルとして示す。また、図６の破線ｄ１及び図７の破線ｄ２は、それぞれの面光源装置の最高輝度と最低輝度との差を示す。
【００４２】
図６から、ＡＧ４２００を用いた面光源装置は、輝度ムラ（ｄ１）が大きいことがわかる。また、図７から、指向性のある拡散面を用いた面光源装置は、輝度ムラ（ｄ２）が小さいことがわかる。ｄ１とｄ２を比較すると、ｄ２はｄ１の約６０％であることがわかった。つまり、ｄ２はｄ１より約４０％抑制されていることが認められる。
【００４３】
また、鏡面性の高いＡＧ４２００を用いた図６の場合、輝度のムラが周期的に大きく生じている。視覚的には、この繰り返される大きなパターンは非常に目立ち、見ている人にはっきりと輝度ムラを認識させる。一方、指向性のある拡散面でありＡＧ８５１０を用いた図７の場合、小さな輝度ムラが生じているものの、周期性が小さいため、視覚的には目立たず、見ている人には認識されにくい。
【００４４】
さらに、図６と図７から、それぞれの輝度レベルの平均値を算出して比較した結果、ほぼ同等であることがわかった。
【００４５】
したがって、指向性のある拡散面であるＡＧ８５１０を用いると、鏡面性の高いＡＧ４２００を用いた場合と比較して、輝度レベルを同等に保ちながら、輝度ムラを４０％程度抑制できることが認められる。さらに、実際には輝度ムラが生じていても、見ている人に認識されることはないことがわかる。
【００４６】
以上説明したように、本発明による図１に示す面光源装置２０においては、反射板３の主な形状として、断面形状に放物線を採用するものであり、光源１を放物線の焦点位置に配置することにより、この光源１から出射されて反射板３により反射された光線を、ほぼ平行光として、拡散板２の表面に対し、ほぼ垂直に入射させることができる。したがって、正面輝度を向上させることができる。
【００４７】
また、反射板３を微細な凹凸加工された拡散面をもつ反射体とすることによって、光源１の長手方向においては光を鏡面反射させ、長手方向に直交する方向においては光を散乱させることにより、輝度ムラを抑制しつつ、正面輝度を向上させることができる。
【００４８】
また、光線が微細な凹凸加工された指向性のある拡散面である反射板３に反射し、拡散板２に入射される段階で輝度ムラが低減されているため、透過率の低い拡散板２が不要となり、輝度効率の低下を防ぐことが可能となるとともにコストの削減になる。
【００４９】
また、光源１の長手方向に直交する方向において拡散性が高く、光源１の長手方向において集光する特性をもつ放物面形状の反射板３を使用することにより、高価なプリズムシートを必要とせず、安価な面光源装置２０を提供できることになる。
【００５０】
さらに、光線が微細な凹凸加工された指向性のある拡散面である反射板３に反射し、拡散板２に入射される段階で輝度ムラが低減されているため、拡散シート枚数を削減し、拡散シートの材料費および、面光源装置２０の組立てにかかる工数を削減することが可能となる。
【００５１】
また光線が拡散板２に入射される段階で輝度が向上し、輝度ムラが低減されているため、それらの相乗効果によって輝度が大幅に向上する。したがって、消費電力の大幅な削減が期待できる。
【００５２】
このように面光源装置２０に本発明を適用することにより、輝度ムラが少なく、輝度レベルの高い面光源装置を簡単な構成で安価に得ることができる。つまり、より明るく視認性の高い面光源装置を簡単な構成で安価に提供することができる。
【００５３】
なお、微細な凹凸加工された指向性のある拡散面の指向性の程度は、図７に示した拡散面に限定するものではない。
【００５４】
また、反射板３は、光源１の電極の機能を兼ね備えたものでもよい。
【００５５】
（実施の形態２）
図８は、本発明の第２の実施形態における面光源装置を示すものである。
【００５６】
図８にその一例の模式的な断面構成を示すように、少なくとも光源９と、この光源から発せられる光線を拡散する拡散板１０と、光源１から出射される光線を拡散板１０側へ反射する反射板１１とを有する面光源装置２２であって、反射板１１の断面形状は略放物面形状となっており、筋状の凹凸加工により指向性のある拡散面をもつ反射体を材料として作製されたものである。
【００５７】
図９に筋状の凹凸加工をした反射体を示す。（ａ）は反射体の顕微鏡写真を示し、（ｂ）は反射体に光を入射した場合の反射パターンの写真を示す。（ｂ）より、反射光が縦方向にのみ広く散乱していることから、指向性のある拡散面であることがわかる。
【００５８】
図８では、各光源９の長手方向と直交する方向の断面構成を示しており、隣り合う複数の光源９に対応して複数の略放物面形状で反射板１１を構成しており、各放物線がそれぞれ交点１２において交わる形状とする。反射板１１は、各光源９と同様の長手方向対して延びている形状であり、すなわち各放物線及び交点は、図８の紙面に対して垂直な方向に延在する。
【００５９】
上述したように、正面輝度を向上させるためには、光線を可能な限り垂直に近い入射角で拡散板１０に入射させることが望ましい。
【００６０】
本発明によれば、反射板１１の主な形状として、断面形状に放物線を採用するものであり、光源９を放物線の焦点位置に配置することにより、この光源９から出射されて反射板１１により反射された光線を、ほぼ平行光として、拡散板１０の表面に対し、ほぼ垂直に入射させることができる。したがって、正面輝度を向上させることができる。
【００６１】
一方、反射板１１の断面を放物線形状のみとする場合は、光源９の真上付近の輝度がピークとなる。
【００６２】
したがって、上述したように、反射板１１を筋状の凹凸加工により指向性のある拡散面をもつ反射体とすることによって、光源９の長手方向においては光を鏡面反射させ、長手方向に直交する方向においては光を散乱させることにより、輝度ムラを抑制しつつ、正面輝度を向上させることができる。
【００６３】
（実施の形態３）
次に、このような本発明構成の面光源装置を用いた表示装置の一例について説明する。この例においては、液晶表示装置を用いる場合を示す。
【００６４】
図１０は、本発明による表示装置の一例の概略構成を示す図である。この場合においても、冷陰極管等の線状の光源５から出射される光線を反射する反射板７と、反射板７からの反射光を入射する拡散板６により面光源装置を構成する。
【００６５】
そして、この反射板７は、略放物線状であり、光源５側の表面は、指向性のある拡散面となっている。そして、拡散板６の上部、すなわち光源５と対向する側とは反対側の位置に、例えば液晶表示手段より成る表示手段８を設ける。液晶表示手段には、図示しないが液晶パネル、光源５からの光線の偏光方向を変換する偏光変換素子、また液晶に電圧を印加する配線部などが設けられている。
【００６６】
このような表示装置２１に本発明を適用することによって、以下の効果が得られる。
【００６７】
すなわち、上述の本発明の面光源装置と同様に、拡散板６に入射させる光線の入射方向をより拡散板６の表面に垂直にできるので、正面輝度を向上させることができる。さらに、指向性のある拡散面を反射板７に使用することにより、簡単な構成で輝度ムラを低減することができる。
【００６８】
以上説明したように、本発明によれば、光線が指向性のある拡散面である反射板７に反射し、拡散板６に入射される段階で輝度ムラが低減されているため、透過率の低い拡散板６が不要となり、輝度効率の低下を防ぐことが可能となるとともにコストの削減になる。
【００６９】
また、光源５の長手方向に直交する方向において拡散性が高く、光源５の長手方向において集光する特性をもつ放物面形状の反射板７を使用することにより、高価なプリズムシートを必要とせず、安価な表示装置２１を提供できることになる。
【００７０】
さらに、光線が指向性のある拡散面である反射板７に反射し、拡散板６に入射される段階で輝度ムラが低減されているため、拡散シート枚数を削減し、拡散シートの材料費および、面光源装置の組立てにかかる工数を削減することが可能となる。
【００７１】
また光線が拡散板６に入射される段階で輝度が向上し、輝度ムラが低減されているため、それらの相乗効果によって輝度が大幅に向上する。したがって、消費電力の大幅な削減が期待できる。
【産業上の利用可能性】
【００７２】
本発明の面光源装置は、指向性のある拡散面をもつ放物面形状の反射板を用いたもので、簡単な構成で輝度ムラを抑え、さらに高い輝度レベルを得ることができる面光源装置及びこれを用いた表示装置として有用である。
【図面の簡単な説明】
【００７３】
【図１】本発明の反射板を用いた面光源装置の一例の要部の略線的断面を示す図
【図２】従来の光源装置の放物面形状の下部にフラット面を用いた反射板を示す図
【図３】本発明の測定に用いた２種類の反射体を示す図
【図４】本発明の測定に用いた２種類の反射体の反射パターンを示す図
【図５】本発明の測定に用いた２種類の反射体の反射配光特性を示す図
【図６】本発明の鏡面性の高い反射板を用いた面光源装置の輝度レベルを示す図
【図７】本発明の指向性のある拡散面の反射板を用いた面光源装置の輝度レベルを示す図
【図８】本発明の反射板を用いた面光源装置の一例の要部の略線的断面を示す図
【図９】（ａ）は本発明の反射体表面を示す図、（ｂ）は本発明の反射体の反射パターンを示す図
【図１０】本発明の反射板を用いた面光源装置を用いた表示装置の一例の要部の略線的断面を示す図
【符号の説明】
【００７４】
１    光源
２    拡散板
３    反射板
４    交点
５    光源
６    拡散板
７    反射体
８    表示手段
９    光源
１０    拡散板
１１    反射板
１２    交点
２０    面光源装置
２１    表示装置
２２    面光源装置
【図１】
2007305330.tif 000003
【図２】
2007305330.tif 000004
【図３】
2007305330.tif 000005
【図４】
2007305330.tif 000006
【図５】
2007305330.tif 000007
【図６】
2007305330.tif 000008
【図７】
2007305330.tif 000009
【図８】
2007305330.tif 000010
【図９】
2007305330.tif 000011
【図１０】
2007305330.tif 000012